(57)【特許請求の範囲】
【請求項１】
薬剤送達装置であって、
軸（２００）に沿って延びる、薬剤を含むための細長いハウジング（１５０）と、
連続して薬剤の服用量を排出するために軸方向に変位可能なように前記ハウジング（１５０）内に搭載され、かつ前記軸（２００）の周りを回転可能である、同軸上に延びるプランジャーロッド（１２０，２２０）とを備え、
前記プランジャーロッド（１２０，２２０）および前記ハウジング（１５０）は、前記ハウジング（１５０）内で前記プランジャーロッド（１２０，２２０）を連続して誘導するように適合された、相互に係合する第１の誘導手段（１２３，２２２）および第２の誘導手段（１５４）をそれぞれ含み、
前記プランジャーロッド（１２０，２２０）は、薬剤の服用量を排出するために軸方向に変位され得る即時使用可能位置から、前記プランジャーロッドが軸方向に阻止される即時使用不可能位置に誘導され、前記即時使用不可能位置は、前記即時使用可能位置から軸方向に間隔が空けられ、
前記プランジャーロッド（１２０，２２０）は、さらに、前記即時使用不可能位置から、前記軸（２００）の周りで前記即時使用不可能位置から角度を成して間隔が空けられた次の即時使用可能位置に誘導され、
前記装置は、さらに、前記即時使用可能位置を表示する第１の角度位置と、前記即時使用不可能位置を表示する第２の角度位置との間で変位可能に前記ハウジング（１５０）上に搭載された表示部材（１６０）を備え、
前記表示部材（１６０）および前記プランジャーロッド（１２０，２２０）は、相互に係合する第３の誘導手段（１６１）および第４の誘導手段（１２４，２２２）をそれぞれ含み、それにより前記表示部材（１６０）の位置が前記プランジャーロッド（１２０，２２０）の位置にリンクされることを特徴とする、薬剤送達装置。
【請求項２】
前記表示部材は、前記プランジャーロッドが前記即時使用可能位置または前記即時使用不可能位置にある場合に、前記ハウジング上の窓部／開口部を介して、視覚、および／または聴覚、および／または触覚の表示を可能にするための表示手段（１８０）を前記表示部材の外面上に含む、請求項１に記載の薬剤送達装置。
【請求項３】
前記表示手段は、カラーマークおよび／または柔軟な突起部を含む、請求項２に記載の薬剤送達装置。
【請求項４】
前記表示部材（１６０）は、前記表示部材に接続された第１の端部と、前記ハウジングに接続された第２の端部とを含む少なくとも１つの弾性部材（１７０）を介して、前記ハウジングに弾性的に接続される、請求項３に記載の薬剤送達装置。
【請求項５】
前記表示部材は、前記即時使用可能位置を表示する前記第１の角度位置と、前記即時使用不可能位置を表示する前記第２の角度位置との間で前記軸（２００）の周りを回転できるように前記ハウジング上に搭載され、前記表示部材は、前記弾性部材によって前記第２の角度位置に付勢される、請求項４に記載の薬剤送達装置。
【請求項６】
前記第２の誘導手段は、径方向内側に向かって延びる少なくとも１つの突起部であり、前記第３の誘導手段もまた、径方向内側に向かって延びる少なくとも１つの突起部である、請求項４または５に記載の薬剤送達装置。
【請求項７】
前記第３の誘導手段は、前記第２の誘導手段のバックアップとして働くように配置される、請求項６に記載の薬剤送達装置。
【請求項８】
前記即時使用可能位置と、前記即時使用不可能位置との間の前記プランジャーロッドの軸方向の変位距離は、排出される薬剤の正確な体積に対応する、請求項７に記載の薬剤送達装置。
【請求項９】
前記第１の誘導手段および前記第４の誘導手段は、軸方向に延びる別個の溝付き交互配列トラックによって形成され、当該別個の溝付き交互配列トラックは、軸方向の区画と、径方向平面に延びる周方向の区画とを交互させることによって形成され、前記軸方向の区画は、前記即時使用可能位置に対応する、請求項８に記載の薬剤送達装置。
【請求項１０】
前記プランジャーロッド（１２０）は、第１の周方向半面（１２１）および第２の周方向半面（１２２）に分離される周方向外面を含み、前記第１の誘導手段は、前記第１の周方向半面上に配置され、前記第４の誘導手段は、前記第１の誘導手段とは反対の前記第２の周方向半面上に配置される、請求項９に記載の薬剤送達装置。
【請求項１１】
軸方向に延びる溝付き交互配列トラックの各々は、連続する方形波パターンを形成する、請求項１０に記載の薬剤送達装置。
【請求項１２】
前記第１の誘導手段および前記第４の誘導手段は、軸方向に延びる単一の溝付き交互配列トラック（２２２）によって形成され、当該単一の溝付き交互配列トラック（２２２）は、軸方向の区画と、径方向平面に延びる周方向の区画とを交互させることによって形成され、前記軸方向の区画は、前記即時使用可能位置に対応する、請求項８に記載の薬剤送達装置。
【請求項１３】
前記プランジャーロッド（２２０）は、周方向外面を含み、軸方向に延びる前記単一の溝付き交互配列トラックは、前記周方向外面の周りに連続して配置される、請求項１２に記載の薬剤送達装置。
【請求項１４】
軸方向に延びる前記単一の溝付き交互配列トラックは、連続するらせん階段パターン（２２６）を有する、請求項１３に記載の薬剤送達装置。
【請求項１５】
前記薬剤送達装置は、注射器である、請求項１〜１４のいずれか１項に記載の薬剤送達装置。
【発明の詳細な説明】
【技術分野】
【０００１】
本発明は、薬剤送達装置に関し、より特定的には、ユーザが予め定められた体積の薬剤の放出を意図する場合に、装置の使用可否を容易に表示するための支持機構を備える薬剤送達装置に関する。
【背景技術】
【０００２】
慣習的には、従来の皮下注射器を用いると、施術者またはユーザは、視覚のフィードバックに基づいて、典型的には皮下注射器の目盛りからプランジャーの押下を停止しなければならない。その結果、高度の精密性および／または正確性で服用量の注射を繰り返し行なうことは難しい。
【０００３】
米国特許第５，３１８，５４４号には、視覚の体積測定目盛りを用いる必要なく流体の正確な体積を計るための注射器が開示されている。当該文献は、プランジャーの長手方向の軸の周りで角度を付けておよび直線的に変位される多数の停止面を包むプランジャーを受けるために適合される、注射器の容器を開示している。プランジャーの移動により、第１の停止面は注射器の容器の停止縁に接触する。プランジャーは、その後回転され、停止縁から第１の停止面を解放し、それによって、第２の停止面が停止縁に接触するまでプランジャーは移動可能になる。プランジャーの移動中に、予め定められた体積の流体が穴部を通って計られる。これにより、体積単位の目盛りを読む必要なく、かつユーザがプランジャーの停止動作を調節する必要なく、ユーザは穴部を通って正確に計られた予め定められた体積の流体を投与することが可能になる。
【発明の概要】
【発明が解決しようとする課題】
【０００４】
開示される先行技術は、表示手段を欠いている。表示手段の欠如により、ユーザは、薬剤送達装置が即時使用可能であるか否かを知るのに困惑する。
【０００５】
それゆえに、ユーザが予め定められた体積の薬剤の放出を意図する場合に、装置の使用可否を容易に表示する手段を有する、正確で容易でかつ制御された態様で繰り返し服用量をともに排出することを提供し得る構成に対する要望がある。それゆえに、言及され得るように、薬剤送達装置の人的操作の局面は必須であり、既存の解決策を改善するための根拠がいくつかある。
【０００６】
要約
本発明の目的は、公知の先行技術の不利な点を改善する支持機構を一体化する利点を利用することである。
【課題を解決するための手段】
【０００７】
この発明の主要な局面によれば、薬剤送達装置であって、軸に沿って延びる、薬剤を含むための細長いハウジングと、連続して薬剤の服用量を排出するために軸方向に変位可能なようにハウジング内に搭載され、かつ軸の周りを回転可能である、同軸上に延びるプランジャーロッドとを備え、プランジャーロッドおよびハウジングは、ハウジング内でプランジャーロッドを連続して誘導するように適合された、相互に係合する第１の誘導手段および第２の誘導手段をそれぞれ含み、プランジャーロッドは、薬剤の服用量を排出するために軸方向に変位され得る即時使用可能位置から、プランジャーロッドが軸方向に阻止される即時使用不可能位置に誘導され、即時使用不可能位置は、即時使用可能位置から軸方向に間隔が空けられ、プランジャーロッドは、さらに、即時使用不可能位置から、軸の周りで即時使用不可能位置から角度を成して間隔が空けられた次の即時使用可能位置に誘導され、装置は、さらに、即時使用可能位置を表示する第１の角度位置と、即時使用不可能位置を表示する第２の角度位置との間で変位可能にハウジング上に搭載された表示部材を備え、表示部材およびプランジャーロッドは、相互に係合する第３の誘導手段および第４の誘導手段をそれぞれ含み、それにより表示部材の位置がプランジャーロッドの位置にリンクされる薬剤送達装置によって特徴付けられる。
【０００８】
この発明の別の局面によれば、表示部材は、プランジャーロッドが即時使用可能位置または即時使用不可能位置にある場合に、ハウジング上の窓部／開口部を介して、視覚、および／または聴覚、および／または触覚の表示を可能にするための表示手段を表示部材の外面上に含む。
【０００９】
この発明のさらに別の局面によれば、表示手段は、カラーマークおよび／または柔軟な突起部を含む。
【００１０】
この発明のさらに別の局面によれば、表示部材は、表示部材に接続された第１の端部と、ハウジングに接続された第２の端部とを含む少なくとも１つの弾性部材を介して、ハウジングに弾性的に接続される。
【００１１】
この発明のさらに別の局面によれば、表示部材は、即時使用可能位置を表示する第１の角度位置と、即時使用不可能位置を表示する第２の角度位置との間で軸の周りを回転できるようにハウジング上に搭載され、表示部材は、弾性部材によって第２の角度位置に付勢される。
【００１２】
この発明のさらに別の局面によれば、第２の誘導手段は、径方向内側に向かって延びる少なくとも１つの突起部であり、第３の誘導手段もまた、径方向内側に向かって延びる少なくとも１つの突起部である。
【００１３】
この発明のさらに別の局面によれば、第３の誘導手段は、第２の誘導手段のバックアップとして働くように配置される。
【００１４】
この発明のさらに別の局面によれば、即時使用可能位置と、即時使用不可能位置との間のプランジャーロッドの軸方向の変位距離は、排出される薬剤の正確な体積に対応する。
【００１５】
この発明のさらに別の局面によれば、第１の誘導手段および第４の誘導手段は、軸方向に延びる別個の溝付き交互配列トラックによって形成され、当該別個の溝付き交互配列トラックは、軸方向の区画と、径方向平面に延びる周方向の区画とを交互させることによって形成され、軸方向の区画は、即時使用可能位置に対応する。
【００１６】
この発明のさらに別の局面によれば、プランジャーロッドは、第１の周方向半面および第２の周方向半面に分離される周方向外面を含み、第１の誘導手段は、第１の周方向半面上に配置され、第４の誘導手段は、第１の誘導手段とは反対の第２の周方向半面上に配置される。
【００１７】
この発明のさらに別の局面によれば、軸方向に延びる溝付き交互配列トラックの各々は、連続する方形波パターンを形成する。
【００１８】
この発明のさらに別の局面によれば、第１の誘導手段および第４の誘導手段は、軸方向に延びる単一の溝付き交互配列トラックによって形成され、当該単一の溝付き交互配列トラックは、軸方向の区画と、径方向平面に延びる周方向の区画とを交互させることによって形成され、軸方向の区画は、即時使用可能位置に対応する。
【００１９】
この発明のさらに別の局面によれば、プランジャーロッドは、周方向外面を含み、軸方向に延びる単一の溝付き交互配列トラックは、周方向外面の周りに連続して配置される。
【００２０】
この発明のさらに別の局面によれば、軸方向に延びる単一の溝付き交互配列トラックは、連続するらせん階段パターンを有する。
【００２１】
この発明のさらに別の局面によれば、薬剤送達装置は、注射器から成る。
開示される薬剤送達装置によって、薬剤送達装置の意図しない作動を回避し、同時に、薬剤送達装置がいつ起動されるか、または閉鎖されるかを表示する明快な表示手段とともに薬剤の正確な服用量を送達することができる。本発明のこれらのまたは他の局面および利点は、以下の詳細な説明および添付の図面から明らかになるであろう。
【図面の簡単な説明】
【００２２】
以下のこの発明の実施例の説明では、添付の図面を参照する。
【図１】本発明における薬剤送達装置の例示的な実施の形態の斜視図である。
【図２】本発明における薬剤送達装置の例示的な実施の形態の例示的な部品の斜視図である。
【図３Ａ】ハウジングの一例の詳細な底面斜視図である。
【図３Ｂ】図３Ａの詳細な上面斜視図である。
【図４Ａ】可動表示部材の一例の詳細な底面斜視図である。
【図４Ｂ】図４Ａの詳細な側面斜視図である。
【図５Ａ】弾性部材の一例を説明するための図である。
【図５Ｂ】図５Ａの弾性部材と、図４Ａおよび図４Ｂの可動表示部材とを説明するための図である。
【図６Ａ】プランジャーロッドの一例の詳細な斜視図である。
【図６Ｂ】１８０度回転した図６Ａの詳細な側面斜視図である。
【図７】プランジャーロッドの別の例の詳細な斜視図である。
【発明を実施するための形態】
【００２３】
詳細な説明
本出願において言及されるように、「遠位部／遠位端」という用語が用いられるとき、当該用語は患者の送達部位から最も遠くに位置している、送達装置の部分／端部、または送達装置の部材の部分／端部を指す。それに応じて、「近位部／近位端」という用語が用いられるとき、当該用語は、患者の送達部位の最も近くに位置している、送達装置の部分／端部、または送達装置の部材の部分／端部を指す。
【００２４】
本発明は、薬剤送達装置に関し、当該薬剤送達装置は、軸２００に沿って延びる、薬剤を含むための細長いハウジング１５０と、連続して薬剤の服用量を排出するために軸方向に変位可能なようにハウジング１５０内に搭載され、かつ軸２００の周りを回転可能である、同軸上に延びるプランジャーロッド１２０，２２０とを備え、プランジャーロッド１２０，２２０およびハウジング１５０は、ハウジング１５０内でプランジャーロッド１２０，２２０を連続して誘導するように適合された、相互に係合する第１の誘導手段１２３，２２２および第２の誘導手段１５４をそれぞれ含み、プランジャーロッド１２０，２２０は、薬剤の服用量を排出するために軸方向に変位され得る即時使用可能位置から、プランジャーロッドが軸方向に阻止される即時使用不可能位置に誘導され、即時使用不可能位置は、即時使用可能位置から軸方向に間隔が空けられ、プランジャーロッド１２０，２２０は、さらに、即時使用不可能位置から、軸２００の周りで即時使用不可能位置から角度を成して間隔が空けられた次の即時使用可能位置に誘導される。
【００２５】
本発明の装置は、さらに、即時使用可能位置を表示する第１の角度位置と、即時使用不可能位置を表示する第２の角度位置との間で変位可能にハウジング１５０上に搭載された表示部材１６０を備え、表示部材１６０およびプランジャーロッド１２０，２２０は、相互に係合する第３の誘導手段１６１および第４の誘導手段１２４，２２２をそれぞれ含み、それにより表示部材１６０の位置がプランジャーロッドの位置にリンクされる。
【００２６】
本発明において、表示部材１６０は、チューブ状に形成される部品であり、プランジャーロッドが即時使用可能位置または即時使用不可能位置にある場合に、ハウジング上の窓部／開口部１５７を介して、視覚、および／または聴覚、および／または触覚の表示を可能にするための表示手段１８０を表示部材の外面上に含む。表示部材は、表示部材に接続された第１の端部１７１と、ハウジングに接続された第２の端部１７２とを含む少なくとも１つの弾性部材１７０を介して、ハウジングと弾性的に協働する。さらに、表示部材は、即時使用可能位置を表示する第１の角度位置と、即時使用不可能位置を表示する第２の角度位置との間で軸２００の周りを回転できるようにハウジング上に搭載され、表示部材は、弾性部材によって第２の角度位置に付勢される。
【００２７】
第２の誘導手段は、たとえば、径方向内側に向かって延びる少なくとも１つの突起部１５４であり、第３の誘導手段もまた、たとえば、径方向内側に向かって延びる少なくとも１つの突起部１６１である。
【００２８】
図１は、薬剤送達装置１００の例示的な実施の形態の斜視図である。図１において、長手方向の軸である軸２００が示される。図１に示す長手方向に延びるプランジャーロッド１２０は、作動部材１１０を備え、ハウジング１５０は、その周方向側面上にある少なくとも１つの窓部／開口部１５７と、たとえば針のような送達部材を装置に係合するためのたとえばねじ山のような近位係合手段１５８とを備える。
【００２９】
図２は、図１に開示される薬剤送達装置の例示的な実施の形態の例示的な部品の斜視図である。図２において、作動部材１１０およびプランジャーロッド１２０が示される。さらに、開示されるハウジング１５０は、チューブ状近位ハウジング部１５１およびチューブ状遠位ハウジング部１５２という２つの部分に分離され、両部分は、たとえばバイオネット取付具のような当該技術分野で公知の好適な固定手段によって２つのハウジング部分を固定して取り付けるように構成されるシールド部材１５３を備える。ハウジング１５０は、たとえばカートリッジのような薬剤容器１３０を収容するように適合される。図２に示すような当該カートリッジは、摺動可能ストッパー１３１と、隔壁部１３２とを備える。さらに、可動表示部材１６０と、少なくとも１つの弾性部材１７０とが示される。
【００３０】
図３Ａは、径方向内側に向かって延びる突起部である、ハウジングの第２の誘導手段１５４を示す、チューブ状遠位ハウジング部１５２の詳細な底面斜視図である。チューブ状遠位ハウジング部１５２は、環状プレートによって互いに接続された第１チューブ状遠位ハウジング部１５５と第２チューブ状遠位ハウジング部１５６とを備え、第２チューブ状遠位ハウジング部１５６は、第１環状チャネルを形成する第１チューブ状遠位ハウジング部１５５内に同軸上に配置される。径方向内側に向かって延びる突起部である第２の誘導手段１５４は、第２チューブ状遠位部１５６の近位周方向内面に配置され、開口部／窓部１５７は、第１チューブ状遠位ハウジング部１５５の周方向表面に配置される。図３Ｂは、同様の第２の誘導手段１５４を示す、チューブ状遠位ハウジング部１５２の詳細な上面斜視図である。
【００３１】
図４Ａは、径方向内側の突起部である第３の誘導手段１６１を示す、表示部材１６０の詳細な底面斜視図である。図示された例では、可動表示部材１６０は、互いに接続された遠位チューブ部１６２および近位チューブ部１６３を備え、近位チューブ部１６３は、遠位チューブ部１６２の直径よりも小さい直径を有している。可動表示部材１６０はまた、環状チャネル１６５および切り取り部１６６を形成する、遠位チューブ部１６２の近位環状端部に配置された環状Ｌ字型部１６４を備える。遠位チューブ部１６２は、チューブ状遠位ハウジング部１５２の第１環状チャネル内に位置決めされるよう適合される。図４Ｂは、この発明の例示的な実施の形態ではカラーマークである表示手段１８０を示す表示部材１６０の詳細な側面斜視図である。たとえば、赤の細片は、プランジャーロッドが即時使用不可能位置にある場合を表示し、緑の細片は、プランジャーロッドが即時使用可能位置にある場合を表示する。一代替手段は、それぞれの位置の触覚および視覚による表示を可能にする、窓部／開口部１５７を貫通し得る色つきの柔軟な突起部（図示せず）を備える表示手段を有することである。
【００３２】
図５Ａは、表示部材１６０とチューブ状遠位ハウジング部１５２との相互作用を可能にするための、第１の端部１７１および第２の端部１７２を示す弾性部材１７０の一例を示す。この発明の好ましい一例では、弾性部材１７０はねじりばねである。図５Ｂは、表示部材１６０に連結された弾性部材１７０を示す。弾性部材１７０は、可動表示部材１６０の環状チャネル１６５の上に配置され、弾性部材１７０の各端部は、表示部材１６０の対応する切り取り部１６６を通って径方向外側に向かって延びる。弾性部材１７０の第２の端部１７２は、チューブ状遠位ハウジング部１５２またはチューブ状近位ハウジング部１５１のいずれかのシールド部材１５３に固定して接続され、弾性部材１７０の第１の端部１７１は、表示部材の環状Ｌ字型部１６４と相互作用するように配置される。
【００３３】
図６Ａおよび図６Ｂは、プランジャーロッド１２０の一例を示す。プランジャーロッド１２０は、予め定められた直径を持つ周方向外面を有する細長い本体であり、近位端および遠位端を有する。プランジャーロッドは、その遠位端に一体化して取り付けられる作動部材１１０を備える。プランジャーロッドの周方向外面は、第１の周方向半面１２１および第２の周方向半面１２２に分離され、第１の誘導手段１２３が第１の周方向半面１２１の上に配置され、第４の誘導手段１２４が、第１の誘導手段の反対側に位置付けられる第２の周方向半面１２２の上に配置される。第１の誘導手段および第４の誘導手段は、軸方向に延びる別個の溝付き交互配列トラックによって形成され、当該溝付き交互配列トラックは、軸方向の区画と、径方向平面に延びる周方向の区画とを交互させることによって形成され、当該軸方向の区画は即時使用可能位置に対応する。さらに、軸方向に延びる溝付き交互配列トラックは各々、連続する方形波パターンのトラックを形成する。軸方向に延びる停止面１２６を有する楔型隆起１２５が、第１の誘導手段１２３の周方向の区画上に位置決めされる。図６Ｂに示されるように、第４の誘導手段１２４の周方向の各区画の長さは、第１の誘導手段１２３の周方向の各区画の予め定められた長さの半分であり、第１の誘導手段および第４の誘導手段における軸方向の区画の長さは同じである。軸方向の区画の予め定められた長さは、プランジャーロッドが当該予め定められた長さだけ軸方向に変位した場合に排出される薬剤の正確な体積に対応する。さらに、プランジャーロッド１２０の近位端は、薬剤容器内でストッパー１３１に接触するように配置される。
【００３４】
図７は、プランジャーロッド２２０の別の例を示す。プランジャーロッド２２０は、予め定められた直径を持つ周方向外面と、近位端と、遠位端とを有する細長い本体である。プランジャーロッド２２０は、その遠位端に一体化して取り付けられる作動部材２１０を備える。プランジャーロッドの外面上に、第１の誘導手段および第４の誘導手段が、軸方向に延びる単一の溝付き交互配列トラック２２２によって形成され、当該溝付き交互配列トラック２２２は、軸方向の区画と、径方向平面に延びる周方向の区画とを交互させることによって形成され、当該軸方向の区画は即時使用可能位置に対応する。軸方向に延びる停止面２２４を有する楔型隆起２２５は、軸方向に延びる単一の溝付き交互配列トラック２２２の周方向の区画上に位置決めされる。軸方向の区画の予め定められた長さは、プランジャーロッドが当該予め定められた長さだけ軸方向に変位した場合に排出される薬剤の正確な体積に対応する。さらに、プランジャーロッド２２０の近位端は、薬剤容器内でストッパー１３１に接触するように配置される。
【００３５】
この発明の第１の実施の形態において、開示される図６Ａ，図６Ｂのプランジャーロッド１２０は、図３Ａ，図３Ｂに開示されるようなハウジング１５０と共に、図４Ａ，図４Ｂに開示されるような可動表示部材と共に、および、図５Ａ，図５Ｂに開示されるような弾性部材と共に用いられることになっている。第１の実施の形態において、ハウジングの第２の誘導手段１５４は、第１の誘導手段１２３、すなわち軸方向に延びる第１の溝付き交互配列トラックと相互作用するように配置され、表示部材１６０の第３の誘導手段１６１は、第４の誘導手段１２４、すなわち軸方向に延びる第２の溝付き交互配列トラックと相互作用するように配置される。プランジャーロッド１２０が、即時使用不可能位置にある場合に、第２の誘導手段１５４と第３の誘導手段１６１との両方は、プランジャーロッド１２０が軸方向におよび近位方向に変位できないように、周方向のそれぞれの区画の１つに位置決めされる。プランジャーロッド１２０が予め定められた１つの方向に回転されると、第２の誘導手段が第１の誘導手段の軸方向の区画の１つに位置決めされ、反対の方向に回転できないように楔型隆起の停止面１２６に当接するまで、第２の誘導手段１５４が楔型隆起１２５の１つを越えて第１の誘導手段１２３の周方向の区画の１つの内部で動くように、プランジャーロッドは、即時使用不可能位置から即時使用可能位置に変位する。表示部材１６０の第３の誘導手段１６１もまた、第３の誘導手段が第４の誘導手段の軸方向の区画の１つに位置決めされるまで、第４の誘導手段１２４の周方向の区画の１つの内部で変位する。第４の誘導手段１２４の周方向の各区画の長さは、第１の誘導手段１２３の周方向の各区画の予め定められた長さの半分であるので、表示部材１６０は、ハウジング１５０に対して回転するように強制される。すなわち、可動表示部材は、プランジャーロッドが即時使用不可能位置にあることを表示する第１の角度位置から、プランジャーロッドが即時使用可能位置にあることを表示する第２の角度位置に、第３の誘導手段１６１と、第４の誘導手段の軸方向に延びる１つの壁との間の相互作用によって動かされる。第１の角度位置および第２の角度位置の表示は、ハウジング１５０の開口部／窓部１５７を介して表示部材１６０の表示手段１８０によって成し遂げられ、予め定められた服用量の薬剤が排出され得るという表示を装置のユーザに与える。同時に、少なくとも１つの弾性部材１７０は応力をかけられ力を蓄積する。プランジャーロッド１２０が軸方向および近位方向に変位すると、ハウジングの第２の誘導手段１５４と、表示部材１６０の第３の誘導手段１６１との両方は、第２の誘導手段１５４および第３の誘導手段１６１がそれぞれの周方向の次の区画に位置決めされるまで、それぞれの軸方向の区画内で変位する。表示部材１６０の第３の誘導手段１６１が第４の誘導手段の周方向の次の区画に達すると、少なくとも１つの弾性部材１７０に蓄積された力により、表示部材１６０は、プランジャーロッドが次の即時使用不可能位置にあることを表示する第１の角度位置に強制的に戻される。上に開示されるような手順は、ハウジングの第２の誘導手段１５４が、第１の誘導手段１２３、すなわち軸方向に延びる第１の溝付き交互配列トラックの端部に達するまで、および／または薬剤容器が空になるまで繰り返され得る。プランジャーロッド１２０は、第２の誘導手段１５４と、楔型隆起１２５の停止面１２６との間の相互作用によって後退できないので、その結果、装置は使用済みとなる。第１の実施の形態において予め定められた服用量の薬剤を送達するために、プランジャーロッド１２０は、表示部材が第１の角度位置から第２の位置に移動されるようにハウジングに対して一方向に回転されることに注意を向けるべきである。そして、予め定められた服用量の薬剤をさらに送達するために、プランジャーロッド１２０は、ハウジングに関連して反対の方向に回転される。
【００３６】
この発明の第２の実施の形態において、開示される図７のプランジャーロッド２２０は、図３Ａ，図３Ｂに開示されるようなハウジング１５０と共に、図４Ａ，図４Ｂに開示されるような表示部材と共に、および図５Ａ，図５Ｂに開示されるような弾性部材と共に用いられることになっている。第２の実施の形態において、第２の誘導手段１５４および第３の誘導手段１６１の両方は、軸方向に延びる単一の溝付き交互配列トラック２２２と相互作用するように配置される。プランジャーロッド２２０が即時使用不可能位置にある場合、プランジャーロッド２２０が軸方向におよび近位方向に変位できないように、表示部材１６０の第３の誘導手段１６１は、軸方向に延びる単一の溝付き交互配列トラック２２２の周方向の区画に位置決めされ、ハウジングの第２の誘導手段１５４は、軸方向に延びる単一の溝付き交互配列トラック２２２の周方向の次の区画に位置決めされる。プランジャーロッド２２０がハウジングに対して時計回りに回転されると、第２の誘導手段１５４および第３の誘導手段１６１の両方は、当該第２の誘導手段１５４および当該第３の誘導手段１６１がそれぞれの軸方向の区画に位置決めされるまで、楔型隆起２２５の１つを越えて、軸方向に延びる単一の溝付き交互配列トラック２２２のそれぞれの周方向の区画内で変位する。そして、ハウジングの第２の誘導手段１５４は、プランジャーロッド２２０が反時計回りに回転できないように楔型隆起２２５の停止面２２４に当接する。そして、表示部材１６０の第３の誘導手段１６１は、軸方向に延びる単一の溝付き交互配列トラック２２２の軸方向に延びる壁に当接し、表示部材１６０はハウジングに対して、プランジャーロッドが即時使用不可能位置にあることを表示する第１の角度位置から、プランジャーロッドが即時使用可能位置にあることを表示する第２の角度位置に回転するように強制される。第１の角度位置および第２の角度位置の表示は、ハウジング１５０の開口部／窓部１５７を介して表示部材１６０の表示手段１８０によって成し遂げられ、予め定められた服用量の薬剤が排出され得るという表示を装置のユーザに与える。同時に、少なくとも１つの弾性部材１７０は応力をかけられ、力を蓄積する。プランジャーロッド２２０が軸方向および近位方向に変位すると、ハウジングの第２の誘導手段１５４と、表示部材１６０の第３の誘導手段１６１との両方は、当該第２の誘導手段１５４および当該第３の誘導手段１６１がそれぞれの周方向の次の区画に位置付けられるまで、それぞれの軸方向の区画内で変位する。表示部材１６０の第３の誘導手段１６１が軸方向に延びる単一の溝付き交互配列トラック２２２の周方向の次の区画に達すると、少なくとも１つの弾性部材１７０に蓄積された力により、表示部材１６０は、プランジャーロッドが次の即時使用不可能位置にあることを表示する第１の角度位置に強制的に戻される。上に開示されるような手順は、ハウジングの第２の誘導手段１５４が軸方向に延びる溝付き交互配列トラック２２２に達するまで、および／または薬剤容器が空になるまで繰り返され得る。プランジャーロッド１２０は、第２の誘導手段１５４および第３の誘導手段１６１と、楔型隆起２２５の停止面２２４とのそれぞれの相互作用によって後退できないので、その結果、装置は使用済みとなる。第２の実施の形態において予め定められた服用量の薬剤を送達するために、プランジャーロッド２２０は、ハウジングに関連して反時計回りにだけ回転されることに注意を向けるべきである。
【００３７】
本発明のさらに別の利点は、ハウジングの第２の誘導手段１５４が破損した場合に、可動表示部材１６０の第３の誘導手段１６１が、第２の誘導手段のバックアップ／サポートとして働き得るということである。
【００３８】
本発明は、様々な代替物、改良物、および均等物が使用され得るので、上述の実施の形態に限定されない。それゆえに、上述の実施の形態は、発明の範囲を限定するものとして捉えられるべきではなく、発明の範囲は、添付の特許請求の範囲によって定義される。
【図１】
0005566539.tif 000002
【図２】
0005566539.tif 000003
【図３Ａ】
0005566539.tif 000004
【図３Ｂ】
0005566539.tif 000005
【図４Ａ】
0005566539.tif 000006
【図４Ｂ】
0005566539.tif 000007
【図５Ａ】
0005566539.tif 000008
【図５Ｂ】
0005566539.tif 000009
【図６Ａ】
0005566539.tif 000010
【図６Ｂ】
0005566539.tif 000011
【図７】
0005566539.tif 000012